(57)【要約】【課題】  本発明は、老眼や遠視等の近くを見る視力が劣る人でも、選択窓に表示される見出用活字部を容易に視認することができる印字器を提供することを課題とする。【解決手段】印字用の活字が形成された印字用活字部１１１ａおよび当該印字用活字部１１１ａに対応する見出用の活字が形成された見出用活字部１１１ｂが外周面にそれぞれ複数個ずつ設けられ、選択ホイール１３と節度コロ１５とに張架されている活字バンド１１が複数列、並設され、選択ホイール１３を回転させることで所望の活字列を選択する印字器１であって、選択ホイール１３に位置する略一列分の見出用活字部１１１ｂを視認する選択窓３２と、選択窓３２に位置する見出用活字部１１１ｂを拡大して表示するレンズ板３３とを設ける。【選択図】        図３
2009179008.tif 000002
【特許請求の範囲】
【請求項１】
印字用の活字が形成された印字用活字部および当該印字用活字部に対応する見出用の活字が形成された見出用活字部とが外周面にそれぞれ複数個ずつ設けられ、選択ホイールと節度コロとに張架されている活字バンドが複数列、並設され、前記選択ホイールを回転させることで所望の活字列を選択する印字器であって、
前記選択ホイールに位置する略一列分の前記見出用活字部を視認する選択窓と、
前記選択窓に位置する前記見出用活字部を拡大して表示するレンズ板とを具備することを特徴とする印字器。
【請求項２】
前記レンズ板は、前記選択窓に位置する一列分の前記見出用活字部のみを視認でき、前記活字バンドにおいて隣接する前記見出用活字部が収差によって結像しないように設定されていることを特徴とする請求項１記載の印字器。
【発明の詳細な説明】
【技術分野】
【０００１】
本発明は、ハンドラベラと称される携帯式印字貼付機等に用いられる印字器に関し、特にエンドレスの活字バンドが備えられた印字器に関する。
【背景技術】
【０００２】
スーパーマーケット等の大型量販店や一般の小売店において、ラベルに商品の価格を印字し、商品に貼付するために用いられているハンドラベラには、外周面に数字、アルファベット等の活字が形成されたエンドレスの活字バンドを複数列備えた印字器が用いられている（例えば、特許文献１参照）。
【０００３】
ハンドラベラに用いられる印字器は、活字バンド毎に、活字バンドを張架する選択ホイールと節度コロとをそれぞれ備え、選択ホイールを選択的に回転させて活字バンドを移動させることにより、ラベルと対向する節度コロの対向面に位置する活字を選択させ、節度コロの対向面に位置する活字をラベルに当接して印字を行うように構成されている。また、印字ベルトの外周面に設けられている活字の半分は、印字用の活字が形成された印字用活字部であると共に、残りの半分は見出用の活字が形成された見出用活字部となっており、選択ホイールに位置する見出用活字部を視認する選択窓に表示される見出用活字部を選択することで、節度コロの対向面に位置する印字用活字部を選択するようになっている。
【０００４】
しかしながら、従来技術では、選択窓に表示される見出用活字部が小さく、老眼や遠視等の近くを見る視力が劣る人には、視認しづらいという問題点があった。
【０００５】
【特許文献１】特開平１０−２４９１５号公報
【発明の開示】
【発明が解決しようとする課題】
【０００６】
本発明は斯かる問題点に鑑みてなされたものであり、その目的とするところは、老眼や遠視等の近くを見る視力が劣る人でも、選択窓に表示される見出用活字部を容易に視認することができる印字器を提供する点にある。
【課題を解決するための手段】
【０００７】
本発明は上記課題を解決すべく、以下に掲げる構成とした。
請求項１記載の発明の要旨は、印字用の活字が形成された印字用活字部および当該印字用活字部に対応する見出用の活字が形成された見出用活字部とが外周面にそれぞれ複数個ずつ設けられ、選択ホイールと節度コロとに張架されている活字バンドが複数列、並設され、前記選択ホイールを回転させることで所望の活字列を選択する印字器であって、前記選択ホイールに位置する略一列分の前記見出用活字部を視認する選択窓と、前記選択窓に位置する前記見出用活字部を拡大して表示するレンズ板とを具備することを特徴とする印字器に存する。
また請求項２記載の発明の要旨は、前記レンズ板は、前記選択窓に位置する一列分の前記見出用活字部のみを視認でき、前記活字バンドにおいて隣接する前記見出用活字部が収差によって結像しないように設定されていることを特徴とする請求項１記載の印字器に存する。
【発明の効果】
【０００８】
本発明の印字器は、印字用の活字が形成された印字用活字部および当該印字用活字部に対応する見出用の活字が形成された見出用活字部とが外周面にそれぞれ複数個ずつ設けられ、選択ホイールと節度コロとに張架されている活字バンドが複数列、並設され、前記選択ホイールを回転させることで所望の活字列を選択する印字器であって、選択ホイールに位置する略一列分の見出用活字部を視認する選択窓と、選択窓に位置する見出用活字部を拡大して表示するレンズ板とを設けることにより、選択窓に選択する見出用活字部が拡大されて表示されるため、老眼や遠視等の近くを見る視力が劣る人でも、選択窓に表示される見出用活字部を容易に視認することができ、所望の見出用活字部を簡単に選択することができるという効果を奏する。
【０００９】
さらに、本発明の印字器は、レンズ板の特性を、選択窓に位置する一列分の見出用活字部のみが視認でき、活字バンドにおいて隣接する見出用活字部が収差によって結像しないように設定することにより、選択する一列の見出用活字部のみが拡大されて表示することになり、誤った活字列の選択を防止することができるという効果を奏する。
【発明を実施するための最良の形態】
【００１０】
以下、本発明の実施の形態を図面に基づいて詳細に説明する。
【００１１】
図１は、本発明に係る印字器の実施の形態を備えたハンドラベラの構成を示す概略側面図であり、図２は、図１に示す印字器を選択軸と直交する方向に切断した要部断面図であり、図３は、図１に示す印字器を選択軸の軸心に沿って切断した要部断面図であり、図４は、図２に示す選択窓への表示例を示す平面図である。
【００１２】
本実施の形態の印字器１は、図１を参照すると、ラベルに商品の価格を印字し、商品に貼付するハンドラベラ２に用いられ、ハンドラベラ２は、グリップ２１と対設された作動レバー２２とを有し、作動レバー２２は、ハンドラベラ２本体の機枠に枢軸２３で保持され、作動レバー２２の先端部分には、二又状の枠部２４が形成され、枠部２４に本実施の形態の印字器１が調整止螺子２５によって止着されている。
【００１３】
ハンドラベラ２本体の上方にはロール状に巻回されたラベル連続体３が装着され、ラベル連続体３はハンドラベラ２本体内に設けられた図示しない案内装置によって、印字器１と対設されたプラテン２６上に導かれる。ラベル連続体３は、帯状台紙４上に、間隔をおいて配設されたラベル５を仮着した構成で、帯状台紙４は、プラテン２６の先端で転向されてハンドラベラ２本体の後方に導き出される。
【００１４】
プラテン２６上に位置するラベル５への印字は、作動レバー２２を把握することで、印字器１の下面に位置する活字部がインキローラ２７によってインキを塗布された後にプラテン２６上に位置するラベル５に当接することによって行われる。印字が施されたラベル５は、ハンドラベラ２本体内に設けられた図示しない歯付回転体によって帯状台紙４が牽引されることにより、帯状台紙４から剥離されて貼付ローラ２８の下方に繰り出され、ハンドラベラ２の擦り付け作動によって物品に貼付される。
【００１５】
印字器１には、エンドレスの活字バンド１１が複数列、並設され、図２および図３を参照すると、活字バンド１１毎に、一端部に選択摘み２９が設けられている選択軸１２が貫入された選択ホイール１３と、回転軸１４に回転自在に軸支された節度コロ１５とが設けられ、各活字バンド１１が選択ホイール１３と節度コロ１５とにそれぞれ張架されている。
【００１６】
活字バンド１１の外周面には、数字、アルファベット等の印字用の活字が形成された印字用活字部１１１ａと、印字用活字部１１１ａに対応する見出用の活字が形成された見出用活字部１１１ｂとが、それぞれ複数個ずつ設けられていると共に、活字バンド１１の内周面には、複数の印字用活字部１１１ａおよび見出用活字部１１１ｂにそれぞれ対応する位置（背面）に嵌装突起がそれぞれ設けられている。
【００１７】
選択ホイール１３の外周面には、活字バンド１１において嵌装突起が設けられている間隔と同じ間隔で、活字バンド１１の嵌装突起が嵌脱される複数の被嵌装穴が形成されていると共に、選択ホイール１３の内周面には、選択軸１２の外周の一部に突設されている係合突起１２１と係合する複数の係合溝部１３１が形成されている。
【００１８】
節度コロ１５の外周面は、ラベル５と対向する対向面となる４つの面からなり、それぞれの面には、活字バンド１１の嵌装突起が嵌脱される被嵌装穴が形成されている。
【００１９】
選択軸１２は、側板３０、３１の対向位置に設けられた円孔に回転可能に嵌合されているスリーブ１２２に回転可能に嵌合された状態で、並設された選択ホイール１３に貫入されている。また、スリーブ１２２には、選択軸１２の外周の一部に突設されている係合突起１２１が貫通する、軸方向に伸びたスリット１２３が形成されており、選択摘み２９を把持して選択軸１２を軸方向にスライドさせ、係合突起１２１を並設された選択ホイール１３のいずれかの係合溝部１３１に係合させることができるようになっている。なお、図３（ａ）には、最も右側の選択ホイール１３の係合溝部１３１に選択軸１２の係合突起１２１が係合されている状態が示されており、図３（ｂ）には、図３（ａ）示す状態から矢印で示す方向に選択軸１２をスライドさせることで、右側から５番目の選択ホイール１３の係合溝部１３１に選択軸１２の係合突起１２１が係合されている状態が示されている。
【００２０】
側板３０、３１には、選択ホイール１３に位置する略一列分の見出用活字部１１１ｂを視認することができる選択窓３２が取り付けられており、選択窓３２に表示される見出用活字部１１１ｂに対応、すなわち選択窓３２に表示される見出用活字部１１１ｂと同一の活字が形成されている印字用活字部１１１ａが節度コロ１５の対向面に位置するようになっている。また、選択窓３２には、見出用活字部１１１ｂに形成されている活字を拡大して表示するレンズ板３３が嵌め込まれている。レンズ板３３としては、略平面上のフレネルレンズが好ましいが、拡大表示機能を有していれば、凸レンズ等でも良い。また、レンズ板３３の特性は、選択窓３２に位置する一列分の見出用活字部１１１ｂのみを視認でき、活字バンド１１において隣接する見出用活字部１１１ｂが収差によって結像しないように、すなわち活字バンド１１において隣接する見出用活字部１１１ｂの像にボケやゆがみが生じて視認できないように設定されている。これにより、選択窓３２にレンズ板３３が嵌め込まれていない状態では、図４（ａ）に示すように、選択窓３２には、選択する一列の見出用活字部１１１ｂ以外に、活字バンド１１において隣接する前後の見出用活字部１１１ｂの一部が表示されることになるが、選択窓３２にレンズ板３３を嵌め込むことにより、図４（ｂ）に示すように、選択窓３２には、選択する一列の見出用活字部１１１ｂのみが拡大されて表示することになり、誤った活字列の選択を防止することができる。
【００２１】
印字する活字の選択は、まず、選択摘み２９を把持して選択軸１２を軸方向にスライドさせることで、係合突起１２１を並設された選択ホイール１３のいずれかの係合溝部１３１に係合、回転させる選択ホイール１３を選択する。
【００２２】
選択摘み２９を把持して選択軸１２を回転させると、係合突起１２１が係合溝部１３１に係合している選択ホイール１３のみがスリーブ１２２と共に回転する。選択ホイール１３が回転すると、選択ホイール１３の回転に伴って活字バンド１１の嵌装突起が選択ホイール１３の外周面に形成された被嵌装穴に嵌脱され、活字バンド１１が選択ホイール１３の回転方向に移動すると共に、活字バンド１１の移動に伴って活字バンド１１の嵌装突起が節度コロ１５の外周面に形成された被嵌装穴に嵌脱され、節度コロ１５が回転する。
【００２３】
このようにして、所望の選択ホイール１３のみを回転させることで、活字バンド１１が選択ホイール１３の回転方向に移動させ、レンズ板３３によって拡大され、一列のみが選択窓３２に表示される見出用活字部１１１ｂを選択することで、所望の印字用活字部１１１ａをラベル５と対向する節度コロ１５の対向面に位置させる。この作業を活字バンド１１毎に行うことで、並設された節度コロ１５のラベルと対向する対向面に、印字する所望の印字用活字部１１１ａの列を揃えることができる。
【００２４】
次に、作動レバー２２を把握することで、印字器１の下面に位置する印字用活字部１１１ａ、すなわち並設された節度コロ１５のラベルと対向する対向面に位置する印字用活字部１１１ａがインキローラ２７によってインキを塗布された後にプラテン２６上に位置するラベル５に当接され、ラベル５に所望の活字列が印字される。
【００２５】
以上説明したように、本実施の形態によれば、印字用の活字が形成された印字用活字部１１１ａおよび当該印字用活字部１１１ａに対応する見出用の活字が形成された見出用活字部１１１ｂが外周面にそれぞれ複数個ずつ設けられ、選択ホイール１３と節度コロ１５とに張架されている活字バンド１１が複数列、並設され、選択ホイール１３を回転させることで所望の活字列を選択する印字器１であって、選択ホイール１３に位置する略一列分の見出用活字部１１１ｂを視認する選択窓３２と、選択窓３２に位置する見出用活字部１１１ｂを拡大して表示するレンズ板３３とを設けることにより、選択窓３２に選択する見出用活字部１１１ｂが拡大されて表示されるため、老眼や遠視等の近くを見る視力が劣る人でも、選択窓３２に表示される見出用活字部１１１ｂを容易に視認することができ、所望の見出用活字部１１１ｂを簡単に選択することができるという効果を奏する。
【００２６】
さらに、本実施の形態によれば、レンズ板３３の特性を、選択窓３２に位置する一列分の見出用活字部１１１ｂのみが視認でき、活字バンド１１において隣接する見出用活字部１１１ｂが収差によって結像しないように設定することにより、選択する一列の見出用活字部１１１ｂのみが拡大されて表示されることになり、誤った活字列の選択を防止することができるという効果を奏する。
【００２７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２８】
【図１】本発明に係る印字器の実施の形態を備えたハンドラベラの構成を示す概略側面図である。
【図２】図１に示す印字器を選択軸と直交する方向に切断した要部断面図である。
【図３】図１に示す印字器を選択軸の軸心に沿って切断した要部断面図である。
【図４】図２に示す選択窓への表示例を示す平面図である。
【符号の説明】
【００２９】
１  印字器
２  ハンドラベラ
３  ラベル連続体
４  帯状台紙
５  ラベル
１１  活字バンド
１２  選択軸
１３  選択ホイール
１４  回転軸
１５  節度コロ
２１  グリップ
２２  作動レバー
２３  枢軸
２４  枠部
２５  調整止螺子
２６  プラテン
２７  インキローラ
２８  貼付ローラ
２９  選択摘み
３０、３１  側板
３２  選択窓
３３  レンズ板
１１１ａ  印字用活字部
１１１ｂ  見出用活字部
１２１  係合突起
１２２  スリーブ
１２３  スリット
１３１  係合溝部
【図１】
2009179008.tif 000003
【図２】
2009179008.tif 000004
【図３】
2009179008.tif 000005
【図４】
2009179008.tif 000006